(57)【要約】【課題】  携帯電話機本体の側面ないし稜線に放音孔が設けられている場合に、スピーカ本体の配置方向による携帯電話機本体の厚み方向、幅方向へ影響が出ないように、スピーカを筐体に実装するとともに、前気室の密閉性を確保することにより音響特性の改善を図る。【解決手段】  スピーカ３と、このスピーカ３を内蔵するとともに、スピーカ放音孔３ａから出力された音声を筐体の外部に出力する筐体放音孔６が形成された電子機器筐体（１、２）と、スピーカ放音孔３ａが設けられた面の背面側に形成された面取り部５に接触して、筐体の内壁とスピーカ３とのあいだに設けられたクッション部材４にスピーカ３を押圧するようにスピーカ３を保持するスピーカ保持構造部１０とを設けた。【選択図】  図１
2008211736.tif 000002
【特許請求の範囲】
【請求項１】
外部から供給された電気信号に基づいて空気を振動させて音声を生成するスピーカ振動板を内蔵するスピーカ筐体の面のうち、前記スピーカ振動板と対向する面に形成されて、前記スピーカ振動板が生成した音声を外部に出力するスピーカ放音孔を有するスピーカと、
このスピーカを内蔵するとともに、前記スピーカ放音孔から出力された音声を筐体の外部に出力する筐体放音孔が形成された電子機器筐体と、
前記スピーカの前記スピーカ放音孔が設けられた面の背面側に形成された面取り部に接触して、前記筐体の内壁と前記スピーカとのあいだに設けられたクッション部材に前記スピーカを押圧するように前記スピーカを保持するスピーカ保持構造部とを設けたことを特徴とする電子機器。
【請求項２】
スピーカ保持構造部は、筐体放音孔が電子機器筐体の側面に形成されている場合に、前記電子機器筐体の内壁とスピーカ放音孔が略平行な位置であって前記スピーカ放音孔と前記筐体放音孔の開口方向が略直角になるように、スピーカを保持することを特徴とする請求項１に記載の電子機器。
【請求項３】
スピーカ保持構造部は、筐体放音孔が電子機器筐体の稜線に形成されている場合に、前記電子機器筐体の側面内壁とスピーカ放音孔が略平行になるようスピーカを保持することを特徴とする請求項１に記載の電子機器。
【発明の詳細な説明】
【技術分野】
【０００１】
本発明は、音声を出力するスピーカを備えた携帯電話機等の電子機器に関するものである。
【背景技術】
【０００２】
音声を出力するスピーカを備えた電子機器である携帯電話機は、筐体に放音孔が設けられ、筐体内部にスピーカが設けられている。スピーカから出力された音声は放音孔を介して外部に出力される。携帯電話機をより小型化、薄型化するため、スピーカを携帯電話機に実装する手法についても工夫されている。
【０００３】
小型化を図ることのできるスピーカ配置構造として、携帯電話機のデザインに伴って生まれる、意匠ケース内面と基板収納部との間の空間を有効利用する技術が特許文献１に記載されている。スピーカの放音孔を意匠ケースの放音孔に向けるのではなく、携帯電話機本体内側に向けてスピーカを配置できるような保持構造とし、スピーカ裏面の凸となっている磁石を覆っている鉄板であるヨークを意匠ケース内面と基板収納部との間に生まれる空間に収める構造をとる。
【０００４】
【特許文献１】特開平７−１６２４９５号公報
【発明の開示】
【発明が解決しようとする課題】
【０００５】
ところで、特許文献１に記載の手法を用いてスピーカを実装した場合、意匠ケースの放音孔が配置されている部位に、スピーカ裏面の磁石を覆っている鉄板であるヨークを収める空間が必要になるなどの制約がある。また、スピーカ裏面のヨーク自体の厚みが携帯電話機本体の厚みに与える影響は微小であり、それよりも、スピーカ本体の配置方向による携帯電話機本体の厚みへ及ぼす影響の方が大きいため、携帯電話機本体の小型化、薄型化を図る上で大きな効果を期待することはできない。
【課題を解決するための手段】
【０００６】
本発明は、外部から供給された電気信号に基づいて空気を振動させて音声を生成するスピーカ振動板を内蔵するスピーカ筐体の面のうち、スピーカ振動板と対向する面に形成されて、スピーカ振動板が生成した音声を外部に出力するスピーカ放音孔を有するスピーカと、このスピーカを内蔵するとともに、スピーカ放音孔から出力された音声を筐体の外部に出力する筐体放音孔が形成された電子機器筐体と、スピーカのスピーカ放音孔が設けられた面の背面側に形成された面取り部に接触して、筐体の内壁とスピーカとのあいだに設けられたクッション部材にスピーカを押圧するようにスピーカを保持するスピーカ保持構造部とを設けたものである。
【発明の効果】
【０００７】
本発明は、外部から供給された電気信号に基づいて空気を振動させて音声を生成するスピーカ振動板を内蔵するスピーカ筐体の面のうち、スピーカ振動板と対向する面に形成されて、スピーカ振動板が生成した音声を外部に出力するスピーカ放音孔を有するスピーカと、このスピーカを内蔵するとともに、スピーカ放音孔から出力された音声を筐体の外部に出力する筐体放音孔が形成された電子機器筐体と、スピーカのスピーカ放音孔が設けられた面の背面側に形成された面取り部に接触して、筐体の内壁とスピーカとのあいだに設けられたクッション部材にスピーカを押圧するようにスピーカを保持するスピーカ保持構造部とを設けたので、電子機器本体の薄型化を図ることができ、かつ、良好な音響特性を実現できるという効果を奏する。
【発明を実施するための最良の形態】
【０００８】
実施の形態１．
以下、本発明の実施の形態１に係る電子機器について、図１を参照して説明する。図１は、本発明に係る電子機器のスピーカ実装部分の断面を示す断面図である。以下の説明では、図１に示す電子機器は携帯電話機とする。図１に示す携帯電話機は、意匠ケース（前）１と意匠ケース（後）２が組み合わせられて筐体が形成されている。筐体放音孔６は、筐体の側面に形成されている。スピーカ３は、外部から供給された電気信号に基づいて空気を振動させて音声を生成するスピーカ振動板をスピーカ筐体内部に内蔵している。スピーカ３は、意匠ケース（前）１と対向するように配置されている。スピーカ３のスピーカ放音孔３ａは筐体に対して垂直方向を向いており、筐体放音孔６は筐体に対して水平方向に向いている。つまり、スピーカ放音孔３ａと筐体放音孔６の開口方向は略直角になっている。
【０００９】
図２は、一般的な電子機器のスピーカ実装部分の一例を示す断面図である。スピーカを電子機器筐体に取り付ける場合、より高い音響特性を得るためには、スピーカより発した音を漏らさず意匠ケースに設けられている放音孔から出力させる構造をとる必要がある。そのために、意匠ケースとスピーカとの間に生まれる前気室の密閉性が重要である。前気室の密閉性を高め、音漏れを防ぐため、図２に示すように、意匠ケース（前）１とスピーカ７との間に挟んでいるクッション部材８に対してまんべんなく圧縮力をかける構造が必要となってくる。そのため、意匠ケース（前）１に設けられている放音孔６の向きに対して、スピーカ７の放音孔７ａの向きを合わせるように設計されている。放音孔６とスピーカ放音孔７ａの向きをあわせることにより、意匠ケース（前）１の内壁１ａとスピーカ７本体が平行となり、その間に挟んだクッション部材８に対してまんべんなく均一な圧縮力を与えることができる。しかし、その構造を用いることによって、デザイン上、放音孔６が携帯電話機本体の側面や、稜線沿いに設けられている場合には、スピーカ７の配置もそのデザインに合わせた配置となり、スピーカ７の形状が携帯電話機本体の厚みに大きく影響する問題も生じ得る。
【００１０】
そこで、本発明は図１に示すように、スピーカ３に面取り部５を形成することとした。具体的には、スピーカ３の裏面、すなわち、スピーカ３のスピーカ放音孔３ａ側を表面としたときの背面側の一辺を面取りすることにより、面取り部５を形成している。この面取り部５が形成されたスピーカ３を、スピーカ３裏面の面取り部５を携帯電話機本体の内壁と接触させることにより、携帯電話機本体に保持する構造とした。この構造を利用することにより、前気室９（意匠ケースとスピーカとの間に生まれる空間）を密閉する為に用いるクッション部材４に対して、携帯電話機本体内部のスピーカ固定部からの圧縮力が、スピーカ３の配置方向に関係なく、まんべんなく圧縮力を加えることができる。本構造を用いることにより、前気室９を密閉するために用いるクッション部材４に対して、意匠ケースの放音孔６に対してスピーカ３の放音孔３ａの向きを合わせる必要がなく、携帯電話機本体の薄型化を図ることができるという効果を奏する。
【００１１】
図１は、デザイン上、携帯電話機本体の筐体放音孔が筐体の側面に設けられているもののスピーカの実装構造を示す断面図である。スピーカ３の配置方向は、スピーカ３の放音孔３ａを、携帯電話機本体の筐体放音孔６に向けるように配置するのではなく、携帯電話機本体の厚みに対して、影響の最も少ない配置の仕方を選択している。具体的には、スピーカ３が、携帯電話機本体の筐体放音孔６とスピーカ３のスピーカ放音孔３ａの向きが直角になるよう、スピーカ３は筐体内部に配置されている。このように配置するとき、意匠ケース１上とスピーカ３との間の空間である前気室９を密閉するためには、携帯電話機本体の厚み方向のみではなく、携帯電話機本体側面方向をもカバーするクッション部材４が必要である。スピーカ３の裏面（表面をスピーカ放音孔３ａ側としたとき）の一辺に面取り部５を形成するとともに、図１のようにスピーカ３の面取り部５を保持する構造をもつスピーカ保持構造部としてホルダー１０を用いることにより、側面までカバーするクッション部材４に対しても、圧縮力をかけることができ、意匠ケース（前）１とスピーカ３との間に生まれた前気室９の密閉性を保つことができる。
【００１２】
上記説明のように、本発明は、携帯電話機本体の筐体放音孔６が側面に設けられている場合や、短稜に設けられている場合などに、スピーカ３を、スピーカ３のスピーカ放音孔３ａを携帯電話機本体の筐体放音孔６に向けて配置するのではなく、携帯電話機本体の厚みに対して、スピーカ３の形状が最も影響のない向き（筐体放音孔６の開口方向とスピーカ放音孔３ａの開口方向が略直角）を選択し配置する。したがって、携帯電話機本体の薄型化を図ることができるものである。そして、スピーカ３に形成された面取り部５を保持する保持構造部材を採用することにより、クッション部材４に対して、携帯電話機本体内部のスピーカ固定部からの圧縮力が、スピーカ３の配置方向に関係なく、まんべんなく圧縮力を加えることができる。したがって、前気室９の密閉性を低下させることなく配置することができ、良好な音響特性を実現できる。
【００１３】
実施の形態２．
図３は、本発明の実施の形態２に係る電子機器のスピーカ実装部分の断面を示す断面図である。図３は、デザイン上、携帯電話機本体の筐体放音孔６が筐体の稜線部に設けられているもののスピーカの実装構造を示す断面図である。図３において、図１と同一の符号は同一または相当部分を示すので説明は省略する。図３は図１と異なり、携帯電話機本体の幅方向の小型化を目的としたときに有効な配置となっている。例えば、携帯電話機本体の筐体放音孔６が筐体の稜線部に設けられているデザインのとき、筐体放音孔６方向に向くようにスピーカ３を斜めに傾けた状態で配置すると、携帯電話機本体の厚み、幅ともにスピーカ３の形状や配置構造に大きく影響をうけることになる。一方、図３のような構造をとった場合には、幅方向に対して大きな小型化が望める。スピーカ３の裏面の一辺に面取り部５が形成されている点、スピーカ３の面取り部５を保持する構造をもつホルダー１０を用いる点は図１に示すものと同様であり、側面までカバーするクッション部材４に対しても、圧縮力をかけることができ、意匠ケース（前）１とスピーカ３との間に生まれた前気室９の密閉性を保つことができる。
【００１４】
また、本構造を用いることにより、どのような位置に意匠ケースの放音孔が設けられていても、スピーカを斜めに配置したりすることが無く、携帯電話機本体内部の保持構造を簡単にすることができることや、レシーバなど他の音響部品の配置にも応用ができる。
【図面の簡単な説明】
【００１５】
【図１】本発明の実施の形態１に係る電子機器のスピーカ実装部分の断面を示す断面図である。
【図２】電子機器のスピーカ実装部分の一例を示す断面図である。
【図３】本発明の実施の形態２に係る電子機器のスピーカ実装部分の断面を示す断面図である。
【符号の説明】
【００１６】
１  意匠ケース（前）、２  意匠ケース（後）、３  スピーカ、４  クッション部材、
５  面取り部、６  放音孔、７  スピーカ、８  クッション部材、９  前気室、
１０  ホルダー
【図１】
2008211736.tif 000003
【図２】
2008211736.tif 000004
【図３】
2008211736.tif 000005